(57)【要約】【課題】  コネクタの枠体内における配線基板の配置位置の位置合わせを容易に行うことができ、配線基板の端子部を対応するコネクタの電極端子に確実に接続することができる。【解決手段】  コネクタ８におけるフレキシブル配線基板１の端子部形成面に対向する位置であって各電極端子１１のうち両端に位置する各電極端子１１の近傍に係止爪１４を設け、フレキシブル配線基板１における各係止爪１４に対向する位置に、それぞれ係止用孔１６を設け、各係止爪１４を各係止用孔１６に嵌合して係止する。【選択図】      図２
2006073229.tif 000002
【特許請求の範囲】
【請求項１】
一端部に電極の端子部が配置された配線基板と、内部に前記配線基板の一端部が挿入可能とされ、挿入された前記配線基板の端子部に対向する位置に電極端子が配置されたコネクタとを有し、前記端子部が前記コネクタの電極端子に当接して接続されている配線基板とコネクタとの接続構造において、
前記コネクタにおける前記配線基板の一面に対向する位置に、係止爪が設けられ、前記配線基板における前記係止爪に対向する位置に、係止部が設けられ、前記係止爪が前記係止部に係止されていることを特徴とする配線基板とコネクタとの接続構造。
【請求項２】
前記係止爪が、前記コネクタの複数の前記電極端子のうち両端部に配置された電極端子の近傍にそれぞれ設けられている請求項１に記載の配線基板とコネクタとの接続構造。
【請求項３】
前記配線基板の基板本体における前記端子部形成面の反対面に補強板が設けられ、前記係止部が、前記基板本体と前記補強板とを貫通して形成されている請求項１または２に記載の配線基板とコネクタとの接続構造。
【請求項４】
前記配線基板における端子部形成面の反対面と該反対面に対向するコネクタ面との間に固定用部材が配設され、該固定用部材によって前記コネクタ内における前記配線基板の配置位置が固定される請求項１から３のいずれか１項に記載の配線基板とコネクタとの接続構造。
【発明の詳細な説明】
【技術分野】
【０００１】
本発明は配線基板とコネクタとの接続構造に係り、特に、配線基板の一端部をコネクタの内部に挿入することにより、配線基板における電極の端子部とコネクタの電極端子とを当接させて接続する配線基板とコネクタとの接続構造に関する。
【背景技術】
【０００２】
従来より、フレキシブル配線基板等の配線基板と他の電気機器や基板等とを電気的に接続する接続装置としてコネクタが用いられている。
【０００３】
図３は、従来のフレキシブル配線基板とコネクタとの接続構造の一例を示す模式的平面図である。
【０００４】
図３に示すように、フレキシブル配線基板２１においては、基板本体２２の一面に複数の電極２３が設けられており、各電極２３は基板本体２２の一端部に配置されて端子部２４とされている。基板本体２２における各端子部２４が設けられた端子部形成面の反対面である非端子部形成面には、補強板（図示せず）が設けられている。
【０００５】
コネクタ２７は、フレキシブル配線基板２１の一端部の幅方向に対応する大きさの開口２８が形成された枠体２９を有しており、フレキシブル配線基板２１の一端部は、枠体２９の開口２８から枠体２９の内部に挿入されている。枠体２９内においてフレキシブル配線基板２１の各端子部２４に対向する位置には、各端子部２４に対応する電極端子３０が設けられており、各端子部２４は各電極端子３０にそれぞれ当接するようになっている。また、コネクタ２７には、フレキシブル配線基板２１の一端部の幅寸法に対応する断面形状がくさび形状の固定用部材３１が設けられている。固定用部材３１は、厚さが薄く形成された一端縁を先端部としてフレキシブル配線基板２１の非端子部形成面側に位置するように開口２８から枠体２９の内部に挿入されており、枠体２９の内部においてフレキシブル配線基板２１の配置位置を固定するようになっている。
【０００６】
このようなフレキシブル配線基板２１とコネクタ２７とを接続するには、まず枠体２９の開口２８からフレキシブル配線基板２１の一端部を挿入し、枠体２９の内部においてフレキシブル配線基板２１における電極２３の端子部２４がコネクタ２７の電極端子３０に対向するようにフレキシブル配線基板２１を配置する。続いて、固定用部材３１を開口２８からフレキシブル配線基板２１の非端子部形成面に当接するように挿入する。これにより、フレキシブル配線基板２１を枠体２９内において電極端子３０側に移動させて、枠体２９内において電極２３の端子部２４を電極端子３０に当接させるとともにフレキシブル配線基板２１の配置位置を固定させる。このようにして、フレキシブル配線基板２１とコネクタ２７とを、電極２３の端子部２４と電極端子３０を介して電気的に接続するようになっている。
【０００７】
しかし、前述のような従来のフレキシブル配線基板２１とコネクタ２７との接続構造においては、フレキシブル配線基板２１の一端部を枠体２９内に挿入した状態において端子部２４と電極端子３０との位置合わせを行うのが困難であった。とくに、枠体２９内におけるフレキシブル配線基板２１の配置位置を固定用部材３１で固定する接続構造においては、枠体２９にフレキシブル配線基板２１のみを挿入した状態では、フレキシブル配線基板２１は枠体２９内において自由に移動可能であるので、端子部２４と電極端子３０との位置合わせは困難となっていた。
【０００８】
このため、各端子部２４が、対応する各電極端子３０に対向しない状態で、フレキシブル配線基板２１の配置位置が固定部材により固定されてしまうことがあり、端子部２４と電極端子３０との接続に不具合が生じるおそれがあるという問題を有していた。
【０００９】
ここで、枠体２９内におけるフレキシブル配線基板２１の配置位置の位置合わせを容易にするため、フレキシブル配線基板２１に位置合わせ用マークを形成することも考えられている。しかし、位置合わせ用マークを基準として枠体２９内におけるフレキシブル配線基板２１の配置位置を決定しても、固定用部材３１を挿入する際に固定用部材３１がフレキシブル配線基板２１に当接し、枠体２９内においてフレキシブル配線基板２１の配置位置がずれてしまうことがあり、このような場合には、端子部２４と電極端子３０との接続に不具合が生じるおそれがあった。
【発明の開示】
【発明が解決しようとする課題】
【００１０】
本発明はこれらの点に鑑みてなされたものであり、コネクタ内における配線基板の配置位置の位置合わせを容易かつ確実に行うことができ、配線基板の端子部を対応するコネクタの電極端子に確実に接続することができる配線基板とコネクタとの接続構造を提供することを目的とする。
【課題を解決するための手段】
【００１１】
前記目的を達成するため、請求項１に記載の発明に係る配線基板とコネクタとの接続構造の特徴は、一端部に電極の端子部が配置された配線基板と、前記配線基板の一端部が挿入可能とされ、前記配線基板の端子部に対向する位置に電極端子が配置されたコネクタとを有し、前記端子部が前記コネクタの電極端子に当接して接続されている配線基板とコネクタとの接続構造において、前記コネクタにおける前記配線基板の一面に対向する位置に、係止爪が設けられ、前記配線基板における前記係止爪に対向する位置に、係止部が設けられ、前記係止爪が前記係止部に係止されている点にある。
【００１２】
この請求項１に記載の発明によれば、コネクタの係止爪を係止部に係止させることにより、コネクタ内において、電極の端子部がそれぞれ対応する電極端子に対向するように位置させながら、配線基板の平面方向の配置位置を固定させることができる。これにより、各端子部と各電極端子との位置合わせを容易かつ確実に行うことができる。
【００１３】
また、請求項２に記載の発明に係る配線基板とコネクタとの接続構造の特徴は、前記係止爪が、前記コネクタの複数の前記電極端子のうち両端部に配置された電極端子の近傍にそれぞれ設けられている点にある。
【００１４】
この請求項２に記載の発明によれば、係止爪は両端部に位置する電極端子の近傍にそれぞれ設けられているので、電極端子と端子部との位置合わせをより確実に行うことができる。
【００１５】
さらに、請求項３に記載の発明に係る配線基板とコネクタとの接続構造の特徴は、前記配線基板の基板本体における前記端子部形成面の反対面に補強板が設けられ、前記係止部が、前記基板本体と前記補強板とを貫通して形成されている点にある。
【００１６】
この請求項３に記載の発明によれば、係止部は、基板本体および補強板を貫通するように形成されており、これにより係止爪における係止部と係止する部分を大きく形成することによって係止爪と係止部との係止領域を拡げることができるので、係止爪を係止部に確実に係止させることができ、配線基板を枠体内においてより確実に固定することができる。
【００１７】
また、請求項４に記載の発明に係る配線基板とコネクタの接続構造の特徴は、前記配線基板における端子部形成面の反対面と該反対面に対向するコネクタ面との間に固定用部材が配設され、該固定用部材によって前記コネクタ内における前記配線基板の配置位置が固定される点にある。
【００１８】
この請求項４に記載の発明によれば、端子部形成面の反対面とコネクタとの間に固定用部材が配設されているので、端子部と電極端子とを確実に接続させるとともに、配線基板を枠体内により確実に固定することができる。
【発明の効果】
【００１９】
以上述べたように、本発明に係る配線基板とコネクタとの接続構造によれば、配線基板の端子部を、対応するコネクタの電極端子に確実に接続することができ、端子部と電極端子との接続に不具合が発生してしまうのを容易かつ確実に防止することができる。
【発明を実施するための最良の形態】
【００２０】
以下、本発明に係る配線基板とコネクタとの接続構造の一実施形態を図１および図２を参照して説明する。
【００２１】
図１は、本実施形態に係る配線基板とコネクタとの接続構造に用いられる配線基板およびコネクタの要部を示す模式的斜視図である。
【００２２】
図１に示すように、フレキシブル配線基板１においては、可撓性を有する平板状の基板本体２の一面に、複数の電極３が配置して設けられており、各電極３は、基板本体２の一端部に並列配置されて端子部４とされている。
【００２３】
基板本体２における各端子部４が設けられた端子部形成面の反対面である非端子部形成面には、基板本体２の一端部を補強するための補強板６が設けられている。
【００２４】
コネクタ８は、フレキシブル配線基板１の一端部の幅方向に対応する大きさの開口９が形成された断面形状がコ字状の枠体１０を有しており、フレキシブル配線基板１の一端部は、前記開口９から枠体１０の内部に挿入されるようになっている。
【００２５】
コネクタ８は、フレキシブル配線基板１の各端子部４に対向する数の電極端子１１を有しており、各電極端子１１の一端部は、枠体１０における対向する両側壁のうち一方の第１側壁１０ａ側に沿って配置されており、フレキシブル配線基板１を枠体１０内に挿入したとき、枠体１０内におけるフレキシブル配線基板１の各端子部４に対向する位置に設けられている。また、各電極端子１１の一端部には、前記両側壁のうち他方の第２側壁１０ｂ側に突出する突出部１１ａが形成されている。
【００２６】
枠体１０における開口９に対向する第３側壁１０ｃには、各電極端子１１に対応する孔（図示せず）が形成されており、各電極端子１１の他端部は、各孔からそれぞれ枠体１０の外部に露出されて整列配置されている。
【００２７】
これら複数の電極端子１１のうち両端に配置された各電極端子１１の外側近傍には、それぞれ係止爪１４が設けられている。係止爪１４の一端部は、第１側壁１０ａ側に沿って配置され、係止爪１４の一端部には、第２側壁１０ｂ方向に突出する爪部１４ａが形成されている。
【００２８】
爪部１４ａのうち枠体１０の内側に位置する係止壁１４ｂの傾斜角度は７０〜９０°とされ、コネクタ８からフレキシブル配線基板１を着脱容易とするためには７５〜８５°とされていることが好ましい。また、爪部１４ａのうちフレキシブル配線基板１を挿入する側の挿入壁１４ｃの傾斜角度は、フレキシブル配線基板１が接触しながらでも簡単に移動できるように、２０〜５０°とされている。
【００２９】
また、係止爪１４の爪部１４ａは、ばね弾性を有する支持腕１４ｄによって連結されている。フレキシブル配線基板１の先端部と爪部１４ａとが接触したときに、支持腕１４ｄが弾性変形し、フレキシブル配線基板１の挿入がスムーズなものとなる。支持腕１４ｄの材質としては、ばね鋼、りん青銅および合成樹脂などを例示することができる。さらに、爪部１４ａの突出寸法は、各電極端子１１の突出部１１ａの突出寸法よりも長く形成されている。
【００３０】
また、フレキシブル配線基板１を枠体１０内に挿入したとき、フレキシブル配線基板１における各係止爪１４の爪部１４ａに対向する位置には、係止部である係止用孔１６が設けられており、この係止用孔１６は、基板本体２および補強板６を貫通するように形成されている。
【００３１】
コネクタ８は、フレキシブル配線基板１の一端部の幅寸法に対応する断面形状がくさび形状の固定用部材１８を有しており、固定用部材１８は、厚さが薄く形成された一端縁を先端部として、枠体１０の開口９から枠体１０の内部に出し入れ自在に挿入されるように設けられている。
【００３２】
このようなフレキシブル配線基板１とコネクタ８とを接続するには、図２（ａ）に示すようなフレキシブル配線基板１をコネクタ８に接続する前の状態から、図２（ｂ）に示すように、まず、フレキシブル配線基板１の一端部を枠体１０の開口９から挿入する。このとき、フレキシブル配線基板１を枠体１０内に挿入しながら、コネクタ８の各係止爪１４の爪部１４ａをフレキシブル配線基板１の各係止用孔１６に嵌合して係止させることにより、枠体１０内において、各電極３の端子部４がそれぞれ対応する各電極端子１１に対向するように位置させながら、枠体１０内におけるフレキシブル配線基板１の平面方向の配置位置を固定させる。
【００３３】
続いて、図２（ｃ）に示すように、固定用部材１８を、フレキシブル配線基板１の補強板６側に位置させながら枠体１０の開口９から挿入する。このとき、固定用部材１８のくさび形状により、固定用部材１８を枠体１０内に挿入するに従い、枠体１０内においてフレキシブル配線基板１を徐々に第１側壁１０ａ側に移動させ、各端子部４を対応する各電極端子１１の突出部１１ａに当接させるとともに、フレキシブル配線基板１の枠体１０内における配置位置を確実に固定する。
【００３４】
これにより、フレキシブル配線基板１とコネクタ８とを、電極３の端子部４と電極端子１１を介して電気的に接続するようになっている。
【００３５】
次に、本実施形態の作用について説明する。
【００３６】
本実施形態によれば、コネクタ８の各係止爪１４をフレキシブル配線基板１の各係止用孔１６に嵌合して係止させることにより、枠体１０内において、各電極３の端子部４がそれぞれ対応する各電極端子１１に対向するように位置させながら、フレキシブル配線基板１の平面方向の配置位置を固定させることができる。これにより、各端子部４と各電極端子１１との位置合わせを容易かつ確実に行うことができる。
【００３７】
したがって、フレキシブル配線基板１の各端子部４を、対応するコネクタ８の各電極端子１１に確実に接続することができ、端子部４と電極端子１１との接続に不具合が発生してしまうのを容易かつ確実に防止することができる。
【００３８】
また、固定用部材１８を枠体１０内に挿入してフレキシブル配線基板１の枠体１０内における配置位置を固定する際、固定用部材１８がフレキシブル配線基板１に当接しながら挿入されても、フレキシブル配線基板１は枠体１０内においてその平面方向の配置位置が固定されているので、枠体１０内においてフレキシブル配線基板１がその平面方向に移動してしまうことを防止することができる。これにより、固定用部材１８を挿入した際に各端子部４と各電極端子１１との位置ずれが発生してしまうのを防止することができ、より確実かつ正確に各端子部４と各電極端子１１とを接続することができる。
【００３９】
また、各係止爪１４は複数の電極端子１１のうち両端部に位置する電極端子１１の外側近傍にそれぞれ設けられているので、より確実に各電極端子１１と各端子部４との位置合わせを行うことができる。
【００４０】
さらに、各係止用孔１６は、基板本体２および補強板６を貫通するように形成されており、これにより各爪部１４ａの突出寸法を長く形成して、各爪部１４ａと各係止用孔１６との係止領域を拡げることができる。このため、各係止爪１４を各係止用孔１６に確実に係止させることができ、よりフレキシブル配線基板１を枠体１０内において確実に固定することができる。
【００４１】
さらにまた、各係止爪１４は、電極端子１１の一端部の配置されている第一側壁側から突出して形成されているので、枠体１０に固定用部材１８を挿入して各端子部４と各電極端子１１が当接するようにフレキシブル配線基板１を第１側壁１０ａ側に移動させる際に、各係止爪１４と各係止用孔１６との係止が解除してしまうことを防止することができる。このため、各端子部４と各電極端子１１との位置ずれの発生を確実に防止することができ、正確かつ確実に各端子部４と各電極端子１１とを接続することができる。
【００４２】
また、爪部１４ａの係止壁１４ｂの傾斜角度は、好ましくは７５〜８５°となるように形成されているので、各係止用孔１６を各爪部１４ａに係止させたときには、係止が外れにくくなる。さらに、コネクタ８からフレキシブル配線基板１を取り外す際には、固定用部材１８を枠体１０から外し、嵌合深さを浅くした後、支持腕１４ｄを弾性変形させてフレキシブル配線基板１を反挿入側に移動させることにより、容易に取り外すことができる。このときも、係止壁１４ｂの傾斜角度は７５〜８５°とされているので、取り外しが容易である。
【００４３】
なお、本発明は前記実施形態に限定されるものではなく、必要に応じて種々変更することが可能である。
【００４４】
例えば、本実施の形態では係止部を、基板本体２と補強板６とを貫通して形成される係止用孔１６で説明したが、基板本体２に形成される凸部であってもよいし、凹部であってもよい。また、基板本体２のみの構成であってもよいし、補強板６を含めた構成であっても基板本体２のみを貫通した孔を形成して係止部としてもよい。
【図面の簡単な説明】
【００４５】
【図１】本発明に係る配線基板とコネクタとの接続構造に用いられる配線基板およびコネクタの実施形態の要部を示す模式的斜視図
【図２】（ａ）は、図１の配線基板をコネクタに接続する前の状態を示すＡ−Ａにおける模式的断面図、（ｂ）は、図１の配線基板をコネクタに挿入した状態を示すＡ−Ａにおける模式的断面図、（ｃ）は図１の配線基板とコネクタとの接続構造を示すＡ−Ａにおける模式的断面図
【図３】従来の配線基板とコネクタとの接続構造を示す模式的平面図
【符号の説明】
【００４６】
１  フレキシブル配線基板
２  基板本体
３  電極
４  端子部
６  補強板
８  コネクタ
９  開口
１０  枠体
１０ａ  第１側壁
１０ｂ  第２側壁
１０ｃ  第３側壁
１１  電極端子
１１ａ  突出部
１４  係止爪
１４ａ  爪部
１６  係止用孔
１８  固定用部材
【図１】
2006073229.tif 000003
【図２】
2006073229.tif 000004
【図３】
2006073229.tif 000005